(57)【要約】      （修正有）【課題】ガス燃焼式等の打ち込み工具において、マガジンを外した状態での安全機能をより確実ならしめる。【解決手段】安全装置は、先端をノーズと成したインナーガイド１７、インナーガイド１７と一緒に後退する連動板を備えている。インナーガイド１７はアウターガイド１９，２０で覆われており、連動板は主としてシュラウド１８で覆われており、このため、マガジン４の取り付けの有無に関係なくインナーガイド１７及び連動板を後退操作させることはできない。ヘッド３には、連動板に係脱するストッパー５５が回動自在に取り付けられており、ばね５７で係合姿勢に付勢されている。マガジン４の装着状態では押圧体５８でストッパー５５はフリー状態に保持され、マガジン４を取り外すとストッパー５５はばね５７でロック状態に保持される。【選択図】図１３
2010125560.tif 000002
【特許請求の範囲】
【請求項１】
ファスナーを打ち込むための棒状のブレードが内蔵された本体と、前記ブレード及びファスナーのガイド等を行うために本体の先端に設けたヘッドと、前記ブレードの前方にファスナーを１本ずつ供給するためにヘッドに取り付けたマガジンと、ワークに押し当てると後退動してブレードの打ち出しロックを解除する可動式の安全装置と、前記安全装置を覆う防護手段と、前記マガジンの取付けの有無に関係なく人が安全装置を打ち出しロック解除状態に移動させ得ないようにカバーする防護手段とが備えられている、
という打ち込み工具であって、
前記ヘッドに、前記安全装置の構成部材を後退動可能に保持するフリー状態と後退動不能に保持するロック状態とに姿勢又は位置が切り替わるストッパーが配置されており、前記ストッパーはばね手段によってロック状態に付勢されている一方、前記マガジンには、当該マガジンをヘッドに取り付けると前記ストッパーをばね手段に抗してフリー状態と成す押圧体が設けられている、
打ち込み工具。
【請求項２】
前記ストッパーは防護手段で覆われている、
請求項１に記載した打ち込み工具。
【発明の詳細な説明】
【技術分野】
【０００１】
本願発明は、釘打ち機や鋲打ち機のような形態式（或いは可搬式）のファスナー打ち込み工具に関するものである。
【背景技術】
【０００２】
釘打ち機や鋲打ち機のような打ち込み工具には、動力源の種類で見ると空圧（圧縮空気）を利用したものやガスの燃焼圧を利用したもの、或いは電磁力を利用したものなどがあり、いずれにしても、本体の先端にヘッドを設けて、ヘッドにマガジンを取り付けており（マガジンがヘッドと本体との両方に固定されていることも多い。）、ファスナーはマガジンからヘッドに１本ずつ供給されて、ブレードでワークに打ち出される。このうちで、ガス燃焼圧を利用したものは、コンプレッサが不要であると共にホースが接続されていないため、機動性に優れている利点がある。
【０００３】
いずれにしても、これらの打ち込み工具では、ファスナーを空中に向けて打つ空打ちを防止するための安全装置を設けている。この安全装置は、ワークに当たると後退動するプローブ（プッシュレバー、コンタクトアームといった呼び名もある）を備えており、プローブが後退動すると打ち出しロックが解除されて、トリガーを引くとブレードが前進動する。すなわち、プローブをワークに当てた状態でのみブレードが前進動するようになっている。
【０００４】
また、この種の打ち込み工具においてマガジンは一般に着脱式になっており、更に、空圧式の打ち込み工具の場合は、一般にプローブは人が手で掴んで後退させ得る程度に大きく露出している。そして、特許文献１には、マガジンを取り外すとプローブ（公報の名称はプッシュレバー）を後退動不能に保持するストッパーを設けることが開示されてる。つまり、特許文献１では、マガジンを取り外すと、仮にプローブをワークに当ててもプローブは後退せず、従ってトリガーを引くこともできない。
【０００５】
他方、特許文献１のプローブ（プッシュレバー）は人が手で操作できるように大きく露出しており、従って、マガジンを取り付けた状態ではプローブを手で引くことでファスナーを空中発射させることが可能である。これに対して本願出願人は、特許文献２において、マガジンが取り付けられた状態でも取り外した状態でもプローブ等の安全装置を操作できない防護手段を設けることを提案した。
【０００６】
なお、特許文献２の実施形態に係る打ち込み工具は、ファスナー及びブレードをガイドする可動式のインナーガイドと、このインナーガイドのスライドをガイドするアウターガイドとを備えており、インナーガイドの先端部をアウターガイドの先端から若干の寸法だけ露出させることにより、インナーガイドをプローブに兼用し、インナーガイドに、打ち出しロックを解除するための連動部材が固定されている。そして、特許文献１の実施形態に係る打ち込み工具は、インナーガイドの先端部は細長く延びているため、例えば狭い場所への打ち込みも容易に行える利点がある。
【特許文献１】特開平１０─８６０７７号公報
【特許文献２】特開２００４─１６７６４９号公報
【発明の開示】
【発明が解決しようとする課題】
【０００７】
特許文献１は特公平６−２４７２０号公報を先行技術としており、この特公平６−２４７２０号公報の記載（特に「従来の技術」の欄）を参酌すると、特許文献１においてマガジンを取り外した状態でプローブを後退不能にロックしているのは、ファスナーが存在しないのにブレードを駆動してしまう無負荷駆動を防止すること、及び、ファスナーが１本だけ残っているのに残っていないと誤信して空中発射してしまうことを防止すること、にあると言える。
【０００８】
更に述べると、特許文献１の打ち込み工具は、プローブは人が手で摘んで後退させ得るように大きく露出しているのであり、そこで、マガジンを取り外した状態でプローブを摘んでも後退させることができないようにストッパーを設けることにより、マガジンを取り外した状態での事故を防止せんとしたものと推測される。他方、特許文献２においてマガジンを取り外しても安全装置を操作できないようにしているのは、マガジンを取り外すことで安全装置の機能が低下することを防止することにより、マガジンを取り外した状態での空中発射を阻止して安全性を向上せんとしたものである。
【０００９】
本願発明は特許文献２を前提とするものであり、マガジンが取り付けられていても取り外されていても容易にロックを解除できない構成を前提としてつつ、マガジンを取り外した状態での安全性をより一層高めることを目的として成されたものである。
【課題を解決するための手段】
【００１０】
本願発明に係る打ち込み工具は、ファスナーを打ち込むための棒状のブレードが内蔵された本体と、前記ブレード及びファスナーのガイド等を行うために本体の先端に設けたヘッドと、前記ブレードの前方にファスナーを１本ずつ供給するためにヘッドに取り付けたマガジンと、ワークに押し当てると後退動してブレードの打ち出しロックを解除する可動式の安全装置と、前記安全装置を覆う防護手段と、前記マガジンの取付けの有無に関係なく人が安全装置を打ち出しロック解除状態に移動させ得ないようにカバーする防護手段とが備えられている。
【００１１】
そして、請求項１の発明では、前記ヘッドに、前記安全装置の構成部材を後退動可能に保持するフリー状態と後退動不能に保持するロック状態とに姿勢又は位置が切り替わるストッパーが配置されており、前記ストッパーはばね手段によってロック状態に付勢されている一方、前記マガジンには、当該マガジンをヘッドに取り付けると前記ストッパーをばね手段に抗してフリー状態と成す押圧体が設けられている。請求項２の発明は、請求項１において、前記ストッパーは防護手段で覆われている。
【発明の効果】
【００１２】
本発明によると、マガジンを取付けている状態でも取り外した状態でも安全装置は防護手段で覆われているため、マガジンの取り付けの有無に関係なくファスナーを空中発射することはできない。そして、マガジンを取り外した状態では安全装置を構成する部材は後退不能になっているため、安全装置を構成するプローブの先端に何らかの機具を当てて後退させることで安全装置のロックを解除しようとしても、ロックを解除することはできないし、また、仮に人が怪我することを覚悟でプローブの先端に指先を当てて後退させようとしても、プローブを後退させることはできない。
【００１３】
このように、防護手段によって安全装置の操作が阻止されていることに加えて、マガジンを取り外した状態で手又は機具類でプローブを後退させることが不可能であるため、マガジンを取り外した状態での空中発射防止機能を格段に向上して高い安全性を確保できる。請求項２のようにストッパーを防護手段で覆うと、ストッパーへのアクセスも防止できるため特に好適である。
【発明を実施するための最良の形態】
【００１４】
次に、本発明の実施形態を図面に基づいて説明する。
【００１５】
(1).全体の概要
本実施形態は、ガスの燃焼圧を利用して鋲やピン類、或いは釘の打ち込みを行う打ち込み工具に適用している。このうち図１は全体の側面図、図２は前方から見た斜視図であり、これらの図に示すように、打ち込み工具は、打ち込み用のブレード（ロッド）２を内蔵した本体１と、本体１の前端に取付けたヘッド３と、ヘッド３の下面に重なるマガジン４とを備えている。
【００１６】
本体１は、後述するシリンダを囲う本体ケース５とその後端に取付けたリアケース６とを備えており、本体ケース５の下面には、側面視傾斜状のグリップ７とその前方に位置した傾斜状のガス缶収納部８とを一体に設けている。グリップ７の上部にはトリガー９を設けている。グリップ７の下端には電池収納部１０を一体に設け、電池収納部１０とガス缶収納部８とは一体に連なっている。本体ケース５の前部にはプラスチックやゴム等のような素材からなるフロントカバー１２を装着している。
【００１７】
図３は本体１からマガジン４を取り外した状態での側面図、図４のうち（Ａ）はひっくり返した状態でのヘッド３の斜視図、（Ｂ）はマガジン４の上部の斜視図である。詳しくは後述するが、ヘッド３は、固定式のアウターガイド１６と、可動式のインナーガイド１７と、シュラウド１８とを備えている。アウターガイド１６は上部材１９と下部材２０とで構成されており、これら上下の部材１９，２０の間にインナーガイド１７が配置されている。
【００１８】
マガジン４は、連結ファスナー２１が装填される溝２３を備えた収納部２４と、その上端に固定した上補強材２５とを備えており、収納部２４には、連結ファスナー２１を上向きに押すためのプッシャー２６を装着している。プッシャー２６は図示しないばねで上向きに引っ張られている。
【００１９】
図４から理解できるように、マガジン４の上補強材２５にはファスナー２２が抜け出る第１長穴２７が空いており、第１長穴２７のうちファスナー２２の頭が抜け出る部分は長円形で広巾のガイド穴２８になっている。
【００２０】
他方、図５から理解できるように、ヘッド３を構成するアウターガイド１６（及びインナーガイド１７）には、マガジン４の第１長穴２７と連通する第２長穴２９が空いており、アウターガイド１６における下部材２０のうち第２長穴２９の後部を囲う部分には、マガジン４のガイド穴２８にきっちり嵌まるガイド突起３０が形成されており、これらガイド突起３０とガイド穴２８との嵌め合わせにより、マガジン４はその上部において横ずれ不能に保持される。
【００２１】
また、図３に示すように、マガジン４の下端後面に側面視で上向き鉤状の係止部３１を設ける一方、ガス缶収納部８の下端に設けた前向き突出部３２に、係止部３１が下方から嵌まるガイド溝（図示せず）を形成し、図１や図３において紙面と反対側からねじ込んだねじ（図示せず）により、係止部３１を前向き突出部３２に挟み固定するようになっている。
【００２２】
マガジン４の下端には、ワークの表面に当たるストッパー部３３を突設している。これは、二点支持の状態で打ち込みを行うことにより、ファスナー２２を正確な姿勢で打ち込むと共に、作業者の負担を軽減するためである。
【００２３】
なお、本実施形態では、連結ファスナー２２の並び方向はブレード２の軸線と直交しているが、ファスナー２１の並び方向をブレード２の軸線に対して傾斜させても良い。
【００２４】
(2).本体の内部の概略
次に、図５を参照して本体１の内部の概要を説明する。図５のうち（Ａ）は本体１の前部とヘッド３との縦断側面図、（Ｂ）は部材を分離した状態の正断面図である。この図５に示すように、本体ケース５の内側にはシリンダ３５が配置されており、シリンダ３５に、ブレード２を備えたピストン（図示せず）が摺動自在に嵌め込まれている。
【００２５】
シリンダ３５の前端部の外側にはブレード２をガイドするブッシュ３６が装着されており、シリンダ３５の内部の前部にはクッションゴム３７を嵌め込んでいる。シリンダ３５の周壁のうちその前部には、図示しない排気穴が空いており、燃焼ガスは排気穴からシリンダ３５の外側に排出される。
【００２６】
図示していないが、本体１の内部には、単にトリガー９を引いてもブレード２が前進しないよう打ち出しロック装置を設けている。この打ち出しロック装置は様々のものを採用できる。例えば、シリンダ３５に燃料ガスを供給する管路等のうちの適当な部位に設けた弁装置とすることができる。この場合は、弁装置に対するロックを解除しないと、トリガー９を引いても燃料ガスをシリンダ３５に供給することはできない。
【００２７】
他のロック装置としては、例えばガスカートリッジ（ボンベ）の噴出口に設けた電磁弁とすることができる。この場合は、電磁弁に通電しないと、トリガー９を引いても燃料ガスはシリンダ３５に供給されない。更に他のロック装置として、点火のための回路にスイッチを設けることや、トリガー９自体にロックを掛けること等も可能である（トリガー９自体へのロックと他の方法とを併用するとより好適である。）。
【００２８】
本体ケース５の前部には、排気を逃がすための開口部３８が空いており、燃焼ガスはこの開口部から外側に排出されて、フロントカバー１２の通気穴１３から本体１の外側に放出される。
【００２９】
(3).ヘッドの構造
次に、従前の図に加えて図６〜図１０も参照してヘッド３及びこれに関連した部分の構造を説明する。図６はシュラウド１８を破断した状態での平面図、図７は図６の VII-VII断面図、図８は図５の VIII-VIII視断面図、図９は正面視で右側から見た分離斜視図、図１０のうち（Ａ）は正面視で左側から見た要部分離斜視図、（Ｂ）は部材の斜視図である。
【００３０】
既述のとおり、ヘッド３は、アウターガイド１６と、インナーガイド１７と、金属板（例えば鋼板）製のシュラウド１８とを備えている。そして、例えば図９から理解できるように、インナーガイド１７は、その内部にブレード２が摺動自在に嵌まるよう全体として筒状に形成されており、かつ、ファスナー２２が通る下向き開口の第３長穴３９が空いている。
【００３１】
インナーガイド１７の先端部には雄ねじが形成されており、この雄ねじに、打ち込み深さ調節用のノーズ４０をねじ込んでいる。ノーズ４０はプローブの一例である。また、インナーガイド１７のうち後端寄りの範囲は小径部１７ａとなっており、このため、長手方向に沿った中途部に段差１７ｂが存在している。インナーガイド１７の後端部は円筒部１７ｃになっている。敢えて述べるまでもないが、ノーズ４０を設けずにインナーガイド１７の先端を直接にワークに当てることも可能である。
【００３２】
例えば図９や図１０に示すように、アウターガイド１６を構成する上部材１９は、その前部を構成する筒部１９ａと、筒部１９ａが一体に繋がった広巾部１９ｂとからなっている（筒部１９ａの長さは任意に設定できる。）。図５に示すように、広巾部１９ｂの後端部１９ｃはシリンダ３５の前面に突設したブロック部４１にねじ４２やピン等で固定又は取付けられている。
【００３３】
図５（Ｂ）や図９に示すように、アウターガイド１６の上部材１９には、その前部を除いて、ファスナー２２が通る下向き開口の第４長穴４３が形成されている。第４長穴４３を形成している部分は、その下面が筒部１９ａの下面よりも上方に位置するように切欠かれており、この切欠かれた部分に下部材２０が重なって、ねじで固定されている。
【００３４】
図９に示すように、上部材１９には、上下に貫通した角形の第５長穴４４が形成されており、この第４長穴４４にブロック４５をスライド自在に嵌め入れている。ブロック４５は、インナーガイド１７の小径部１７ａに重なっている。また、上部材１９の広巾部１９ｂは、第４長穴４４の周囲の部分は高さが高い枠部１９ｄになっており、枠部１９ｄの左右両側でかつ後部１９ｃの手前の部分は段おちした板状部１９ｅになっている。
【００３５】
板状部１９ｅのうちその前部を除いた部分には枠部１９ｄ及び後部１９ｃに連続した階段部１９ｆが形成されており、この階段部１９ｆの前部に貫通穴が空いてねじ受け座部１９ｇを一体に設けており、ねじ受け座部１９ｇの個所から挿通したねじを下部材２０の雌ねじ穴２０ｂにねじ込むことにより、上部材１９と下部材２０とが一体に締結されている。上部材１９における左右板状部１９ｅの前端面は平面視でハの字を成すように傾斜している。
【００３６】
例えば図５（Ａ）に示すように、ブロック４５の上面には、安全装置の構成部材である連動板（連動部材）４６が押さえ板４７を介してビス４８で固定されている。なお、押さえ板４７は無くても良い。連動板４６は、平面視でブロック４５に重なる先端水平部４６ａと、先端水平部４６ａの左右両側から下向きに垂下した側板４６ｂとを有しており、左右の側板４６ｂには、上部材１９の外側から後方に延びる一対の延長部４６ａが連続している。延長部４６ａの先端は、打ち出しロック部材（例えば弁装置）に係合又は当接している。従って、連動板４６を後退させ切ると、安全装置のロックが解除される。
【００３７】
連動板４６は、図示しないストローク保持手段により、一定の距離だけ前後移動するようになっており、かつ、図示しないばねで前向きに押されている。インナーガイド１７を後退させると、連動板４６もばねに抗して一緒に後退する。
【００３８】
例えば図５（Ａ）に示すように、インナーガイド１７のノーズ４０は、アウターガイド１６における上部材１９の先端から露出しており、ノーズ４０が上部材１９から殆ど露出しない状態（好ましくは、ノーズ４０の先端と筒部１９ａの先端とが殆ど同一面となる状態）まで後退しないと、打ち出しロックが解除されないように設定している。
【００３９】
ノーズ４０（ノーズ４０が存在しない場合はインナーガイド１７の先端部）は指で摘むことができる。その場合、安全装置のロックが解除される程度に後退させ得るまで人がノーズ４０を摘んでいることができると、安全装置の意味が無くなる。
【００４０】
これに対して本実施形態では、仮にロックが解除される後退位置までノーズ４０を指で掴んでいようとすると、指先はノーズ４０の先端面を押さえざるを得ず、すると、ファスナーの打ち出し経路に指先が位置していて怪我をすることになる。このため、ノーズ４０を指で後退させることは事実上ないと言える。
【００４１】
アウターガイド１６の下部材２０は、既述のとおり、上部材１９のうち第４長穴４３を形成している範囲に重なっており、全体としては板状の概観を呈しており、かつ、ねじ（図示せず）で上部材１９に固定されている。また、図９に明示するように、下部材２０には、インナーガイド１７が上方から重なる溝５０を全長にわたって延びるようにを形成している。
【００４２】
アウターガイド１６の下部材２０には、上部材１９における広巾部１９ｂの外側に広がる張り出し部２０ａを設けている。他方、連動板４６における側板４６ｂの前部は下部材２０の張り出し部２０ａの上側に位置している。従って、マガジン４を取り外した状態で人が連動板４６をドライバ類で後退させようとしても、下部材２０の張り出し部２０ａが邪魔になって後退させることができない（連動板４６にアクセスできない。）。つまり、下部材２０の張り出し部２０ａは連動部材４６の後退動操作を阻止する防護手段の一部を構成している。
【００４３】
(4).シュラウド
シュラウド１８は、アウターガイド１６のうち筒部１９ａの付け根部とその後方の部位を覆うように形成されており、連動板４６もシュラウド１８で覆われている。また、シュラウド１８は基本的にはアウターガイド１６の平面形状に倣う形状になるが、アウターガイド１６の平面形状は、その後部が広くなっているため、シュラウド１８も、アウターガイド１６の形状及び連動板４６の配置に合わせて、後方が大径となるように段違いの形状になっている。
【００４４】
そして、アウターガイド１６の下部材２０に張り出し部２０ａを設けたことにより、下部材２０とシュラウド１８との間に人が指やドライバー等を挿入できなくなっている。
【００４５】
図５（Ａ）や図８に示すように、シュラウド１８の後端には端板５１を溶接等によって一体に設けており、この端板５１をビス５２でシリンダ３５の前面に固定している。ビス５２は一般的なドライバやレンチでは回転させ難い特殊なものを使用している。実施形態のアウターガイド１６は上下分離方式になっているが、一体方式とすることも可能である。
【００４６】
(5).ストッパー手段
マガジン４を取り外すと、ノーズ４０をワークに押しつけてもストッパー手段によってノーズ４０は後退せず、安全装置はロックが掛かったままになる。この点を従前の図に加えて図１１以下の図面も参照して説明する。
【００４７】
図１１のうち（Ａ）は要部の左側面図、（Ｂ）は（Ａ）の一部破断部分拡大図、図１２のうち（Ａ）は図１１（Ａ）の XIIA-XIIA視断面図、（Ｂ）は（Ａ）のＢ−Ｂ視断面図、図１３はマガジン４を取り外した状態で左側面図である。なお、図１１（Ａ）及び図１３では、シュラウド１８によるカバー状態の理解を容易ならしめるため、シュラウド１８の外形を太い線で表示している。なお、図１２では連動板４６はボルト（ボルト）４８でブロック４５に直接に固定した状態を描いており、また、図１１，１３ではビスは書略している。
【００４８】
例えば図１０（Ａ）から容易に理解できるように、アウターガイド１６における上部材１９の板状部１９ｅのうちねじ受け座部１９ｇの前方の部分には、穴が空いた左右一対の軸受けリブ５３を突設し、この軸受けリブ５３に、ピン５４でストッパー５５を回動自在に取り付けている。ストッパー５５は前後方向に長く延びていてその前端寄り部位にピン５４が挿通しており、後端部は側面視で上向き鉤状になっており、かつ、ストッパー５５は連動板４６における先端水平部４６ａの下方に配置されている。ストッパー５５がピン５４を中心にして回動すると、後端の鉤部５５ａが連動板４６の先端水平部４６ａに後ろから係脱する。
【００４９】
図１２（Ａ）に示すように、ピン５４はスナップリング５６で抜け止めされている。また、ピン５４のうち左右の軸受けリブ５３で挟まれた部分にはねじりばね（コイル式トーションばね）５７が嵌まっており、ねじりばね５７の一端部５７ａは上部材１９の板状部１９ｅに上から当接し、他端部５７ｂはクランク状に曲げられており、その先端がストッパー５５の前端部に形成された穴に嵌まっている。ねじりばね５７は、ストッパー５５をその鉤部５５ａが上向き移動するような方向に付勢している。従って、ストッパー５５は、連動板４６の先端水平部４６ａに係合する状態に付勢されている。
【００５０】
ストッパー５５の前端は上部材１９における板状部１９ｅの前端面から僅かに突出している。そして、図１１〜図１３に示すように、マガジン４の上端を構成する上補強体２５の左側面に、ストッパー５５の前端に下方から当接し得る板金製の押圧体５８がねじ５９で固定されている。ねじ５９は、上補強体板２５をマガジン４の基材に固定するためのものを兼用している。また、押圧体５８は、その下端に設けた内向き片５８ａを上補強体２５の溝６０に嵌め込むことにより、１本のねじ５９での締結でありながら一定姿勢に保持されている。なお、ねし５９は図４では六角穴方式に表示して図１１とでは十字穴方式に描いている。
【００５１】
押圧体５８は上補強体２５の上方に突出する細長い押圧部５８ｂを有しており、図１１に示すように、マガジン４をヘッドに取り付けた状態では、押圧部５８ｂでストッパー５５の前端が上向きに押されており、このためストッパー５５はその鉤部５５が連動板４６の先端水平部４６ａの下方に位置しており、このため連動板４６の後退動が許容されている。押圧部５８ｂは平面視でＬ形に曲げ形成されており、このためリブ効果により、薄くても高い剛性を有している。
【００５２】
以上の説明から容易に理解できるように、マガジン４を取り外すと、ストッパー５５は押圧体５８による押圧作用が解除されることにより、鶴巻ばね５６のばね力によって鉤部５５ａが連動板４６における先端水平部４６ａ上側に移動し、このため、ノーズ４０をワークに押し当てても連動板４６は後退せず安全装置のロックは解除されない。従って、マガジン４を外した状態で機具類でノーズ４０を後退させようとしてもノーズ４０は後退せず、このため高い安全性を確保できる。
【００５３】
(6).その他
本発明は、上記の実施形態の他にも様々に具体化することができる。例えば、ヘッドや安全装置の形態は必要に応じて様々に具体化することができる。また、ストッパーや押圧体の形態もヘッドや安全装置の具体的構造・形態に応じて設定できる。上記実施形態のストッパーは回動式であったが、スライド式や回転式とすることも可能である。
【図面の簡単な説明】
【００５４】
【図１】実施形態に係る打ち込み工具の全体の側面図である。
【図２】前方から見た斜視図である。
【図３】本体からマガジンを取り外した状態での側面図である。
【図４】（Ａ）はひっくり返した状態でのヘッド３の斜視図、（Ｂ）はマガジン４の上部の斜視図である。
【図５】(A) は本体の前部とヘッドとの縦断側面図、 (B)は部材を分離した状態の正断面図である。
【図６】シュラウドを破断した状態での平面図である。
【図７】図６の VII-VII断面図である。
【図８】図６の VIII-VIII視断面図である。
【図９】ヘッドを右側から見た分離斜視図である。
【図１０】（Ａ）は左側から見た要部分離斜視図、（Ｂ）は部材の斜視図である。
【図１１】（Ａ）は要部の左側面図、（Ｂ）は（Ａ）の一部破断部分拡大図である。
【図１２】（Ａ）は図１１（Ａ）の XIIA-XIIA視断面図、（Ｂ）は（Ａ）のＢ−Ｂ視断面図である。
【図１３】マガジン４を取り外した状態で左側面図である。
【符号の説明】
【００５５】
１  本体
２  ブレード
３  ヘッド
４  マガジン
５  本体ケース
９  トリガー
１６  アウターガイド
１７  インナーガイド
１８  防護手段の主要要素であるシュラウド
１９  アウターガイドを構成する上部材
２０  アウターガイドを構成する下部材
２１  連結ファスナー
４０  ノーズ（プローブ）
４６  安全装置の構成部材である連動板
４６ａ  連動板の先端水平部４６ａ
５３  軸受けリブ
５４  ピン
５５  ストッパー
５７  ばね手段の一例としての鶴巻ばね
【図１】
2010125560.tif 000003
【図２】
2010125560.tif 000004
【図３】
2010125560.tif 000005
【図４】
2010125560.tif 000006
【図５】
2010125560.tif 000007
【図６】
2010125560.tif 000008
【図７】
2010125560.tif 000009
【図８】
2010125560.tif 000010
【図９】
2010125560.tif 000011
【図１０】
2010125560.tif 000012
【図１１】
2010125560.tif 000013
【図１２】
2010125560.tif 000014
【図１３】
2010125560.tif 000015